(57)【要約】【課題】  壁面への取付けが容易で、壁面からの張出しも小さくて邪魔にならず、それでいて、からだを軽く支えることができて日常生活において便利に用いることができる身体介助用壁付け手掛け材及び身体介助用手掛け構造を提供する。【解決手段】  身体介助用壁付け手掛け材１は、背面側を取付け面とし、正面側に隆起高さ寸法を２〜１０ｃｍの範囲とする手掛け用隆起部６を備えている。手掛け用隆起部６は例えば一辺５〜１０ｃｍの範囲の方形状の隆起部からなるとよい。また、手掛け用隆起部６はゴム状の弾力性を備えているとよい。このような手掛け用隆起部６が、廊下の壁面に、進行方向に沿うようにして点状配置に備えられている。【選択図】      図１
2005068939.tif 000002
【特許請求の範囲】
【請求項１】
背面側を取付け面とし、正面側に隆起高さ寸法を２〜１０ｃｍの範囲とする手掛け用隆起部が備えられていることを特徴とする身体介助用壁付け手掛け材。
【請求項２】
前記手掛け用隆起部が、直径５〜１０ｃｍの範囲の円形状、又は、一辺５〜１０ｃｍの範囲の方形状の隆起部からなる請求項１に記載の身体介助用壁付け手掛け材。
【請求項３】
前記手掛け用隆起部がゴム状の弾力性を備えている請求項１又は２に記載の身体介助用壁付け手掛け材。
【請求項４】
隆起高さ寸法を２〜１０ｃｍの範囲とする手掛け用隆起部が、廊下の壁面に、進行方向に沿うようにして設けられていることを特徴とする身体介助用手掛け構造。
【請求項５】
隆起高さ寸法を２〜１０ｃｍの範囲とする手掛け用隆起部が、階段の壁面に、進行方向に沿うようにして設けられていることを特徴とする身体介助用手掛け構造。
【請求項６】
前記手掛け用隆起部が、直径５〜１０ｃｍの範囲の円形状、又は、一辺５〜１０ｃｍの範囲の方形状の隆起部からなり、該手掛け用隆起部が複数備えられ、これら手掛け用隆起部が進行方向に所定間隔おきに列設されている請求項４又は５に記載の身体介助用手掛け構造。
【請求項７】
前記手掛け用隆起部が異なる高さ位置のそれぞれに備えられている請求項４乃至６のいずれか一に記載の身体介助用手掛け構造。
【発明の詳細な説明】
【技術分野】
【０００１】
本発明は、身体介助用壁付け手掛け材及び身体介助用手掛け構造に関する。
【背景技術】
【０００２】
廊下や階段を安全に行き来できるようにするため、壁面に手摺り棒を取り付けることは、従来より広く行われている。
【発明の開示】
【発明が解決しようとする課題】
【０００３】
しかしながら、手摺り棒は、いざというとき、それにからだの全体重を預けて身体を支えることができるように、しっかりと取り付けておく必要があり、そのため、壁面への取付けが非常に厄介であり、取付け場所も制限され、壁面からの張出しもかなり大きく、手摺り棒で通路が狭められしまうことも少なくない。
【０００４】
その一方で、日常生活において、からだの全体重を手摺り棒に預けなければならないような事態の発生は実は非常にまれであり、むしろ、からだを軽く支えるために手摺り棒が用いられているというのが一般的である。
【０００５】
本発明は、かかる背景において、壁面への取付けが容易で、壁面からの張出しも小さくて邪魔にならず、それでいて、からだを軽く支えることができて日常生活において便利に用いることができる身体介助用壁付け手掛け材及び身体介助用手掛け構造を提供することを課題とする。
【課題を解決するための手段】
【０００６】
上記の課題は、背面側を取付け面とし、正面側に隆起高さ寸法を２〜１０ｃｍの範囲とする手掛け用隆起部が備えられていることを特徴とする身体介助用壁付け手掛け材によって解決される。
【０００７】
この手掛け材では、手掛け用隆起部の隆起高さ寸法が２〜１０ｃｍの範囲であるから、隆起部に手を掛けることで、からだを軽く支えることができ、日常生活において手摺り棒以上に、非常に便利に用いることができる。
【０００８】
しかも、手掛け用隆起部の隆起高さ寸法は２〜１０ｃｍの範囲と小さいから、壁面から張出し量も、手摺り棒の場合に比べて格段に小さく、邪魔にならない。
【０００９】
加えて、手掛け用隆起部の隆起高さ寸法がこのように２〜１０ｃｍの範囲と小さく、そのため、からだを軽く支えるという作用しか奏さないため、からだの全体重を支えることができるような強固な取付け、例えば下地への取付けなどを行う必要はほとんどなく、壁面への取付けを容易に行うことができる。
【００１０】
前記手掛け用隆起部が、直径５〜１０ｃｍの範囲の円形状、又は、一辺５〜１０ｃｍの範囲の方形状の隆起部からなる場合は、上下左右、あらゆる方向から手を掛けてからだを軽く支えることができると共に、手掛け用隆起部を掴むことによって様々な姿勢においてからだを安定良く軽く支えることができる。
【００１１】
前記手掛け用隆起部がゴム状の弾力性を備えている場合は、手の掛け心地を心地良いものにすることができると共に、万一つまずいてからだが手掛け材に当たってしまったような場合でも手掛け材で怪我をしてしまうようなこともなく、安全に使用することができる。
【００１２】
また、隆起高さ寸法を２〜１０ｃｍの範囲とする手掛け用隆起部が、廊下の壁面に、進行方向に沿うようにして設けられていることを特徴とする身体介助用手掛け構造では、この手掛け部を、従来の廊下手摺り棒に代わるものとして、手を添え、からだを軽く支えながら、廊下を安全に通行することができるし、廊下に立ち止まってからだを軽く支えることもでき、日常生活において非常に便利に用いることができる。
【００１３】
更に、隆起高さ寸法を２〜１０ｃｍの範囲とする手掛け用隆起部が、階段の壁面に、進行方向に沿うようにして設けられていることを特徴とする身体介助用手掛け構造では、この手掛け部を、従来の階段手摺り棒に代わるものとして、手を添え、からだを軽く支えながら、階段を安全に昇降することができ、階段に立ち止まってからだを軽く支えることもでき、日常生活において非常に便利に用いることができる。また、階段が狭いような場合でも、手掛け用隆起部が階段をより一層狭めてしまうというようなこともない。
【００１４】
上記の各身体介助用手掛け構造において、手掛け用隆起部が、直径５〜１０ｃｍの範囲の円形状、又は、一辺５〜１０ｃｍの範囲の方形状の隆起部からなり、該手掛け用隆起部が複数備えられ、これら手掛け用隆起部が進行方向に所定間隔おきに列設されている場合は、上下左右、あらゆる方向から手掛け用隆起部に手を掛けてからだを軽く支えることができると共に、手掛け用隆起部を掴むことによってからだを安定良く軽く支えることができる。
【００１５】
また、上記の身体介助用手掛け構造において、前記手掛け用隆起部が異なる高さ位置のそれぞれに備えられている場合は、体格の異なる複数人がそれぞれ便利に使用することができ、高さ位置を異ならせて手摺り棒を複数段設置する場合に比べて壁面の体裁を損ねることもない。
【００１６】
なお、上記の各発明において、手掛け用隆起部の高さ寸法の下限値は、２ｃｍでよいが、上限値は、安定した手掛けが許容される範囲で張出しはできるだけ小さい方がよく、そのため、１０ｃｍの他、９ｃｍや８ｃｍ、７ｃｍ、６ｃｍ、５ｃｍなどであってもよい。
【発明の効果】
【００１７】
本発明は、以上のとおりのものであるから、壁面への取付けが容易で、壁面からの張出しも小さくて邪魔にならず、それでいて、からだを軽く支えることができて日常生活において便利に用いることができる。
【発明を実施するための最良の形態】
【００１８】
次に、本発明の実施最良形態を図面に基づいて説明する。
【００１９】
図３及び図４に示す実施形態の身体介助用壁付け手掛け材１は、図１及び図２に示すように、例えば、廊下２の壁面４や階段３の壁面４に手摺り棒に代るものとして取り付けられ、身体の介助に用いられるものである。
【００２０】
この手掛け材１は、帯状ベース部５を備え、その一方の面に点状の多数の手掛け用隆起部６…が備えられ、もう一方の面を取付け面としているものである。各手掛け用隆起部６は、隆起高さ寸法ｈを２〜１０ｃｍの範囲、一辺ａ，ｂの寸法を５〜１０ｃｍの範囲の正方形状あるいは長方形状をしている。そして、これら手掛け用隆起部６は、ベース部５の長手方向に向かって所定の間隔おきに一列状態に備えられると共に、この列が幅方向、即ち上下方向にも所定の間隔をおいて３段備えられており、各手掛け用隆起部６…あるいはベース部５を含む全体がゴム状の弾力性を備えたゴム材あるいは合成樹脂材などからなっている。なお、帯状ベース部５と手掛け用隆起部６…とは一体成形されたものであってもよいし、帯状ベース部５に手掛け用隆起部６…を接着などにより取り付けたものであってもよい。
【００２１】
身体介助用の手掛け構造は、上記の手掛け材１を、図１及び図２に示すように、廊下２や階段３において、それらの壁４，４の手摺り高さ位置に、長手方向を通路方向に向けるようにして取り付けることで形成される。
【００２２】
上記の手掛け材１では、手掛け用隆起部６の隆起高さ寸法ｈが２〜１０ｃｍの範囲であるから、隆起部６に手を掛けることで、からだを軽く支えることができ、廊下２の通行や階段３の昇降を安全に行うことができ、壁面４，４から張出し量も小さく、邪魔にならない。また、そもそもからだを軽く支える作用しか奏さないため、からだの全体重を支えることができるような強固な取付けはほとんど必要なく壁面４，４への取付けを接着剤などで容易に行うことができる。
【００２３】
また、上記の手掛け材１では、手掛け用隆起部６が一辺５〜１０ｃｍの範囲の方形状の隆起部からなっているので、上下左右、あらゆる方向から手を掛けてからだを軽く支えることができると共に、手掛け用隆起部６を掴むことによって様々な姿勢においてからだを安定良く軽く支えることができ、廊下２や階段３での通行安全性を高いものにすることができる。
【００２４】
更に、各手掛け用隆起部６…はゴム状の弾力性を備えたものからなっているので、手の掛けた感じが心地良いと共に、万一つまずいて手掛け材１にからだを当ててしまったような場合でも手掛け材１で怪我をしてしまうというようなこともない。
【００２５】
更にまた、上記の実施形態では、手掛け用隆起部６…が通行方向に一列状態に備えられているだけでなく、この列が上下方向にも所定の間隔をおいて複数段備えられているので、廊下２や階段３を通行する者の体格が様々であっても、それぞれの者が自分の体格に合った高さ位置の隆起部列に無理なく手を掛けて通行することができ、各人がそれぞれに使い良さを実感することができる。のみならず、廊下２や階段３の壁４，４に手摺り棒を上下方向に複数段設ける場合に比べて外観上の体裁を損なうこともなく、むしろ、手掛け材１と壁面４，４との一体感によって意匠性に優れた空間を形成することができる。
【００２６】
なお、本実施形態のように、手掛け用隆起部６…が点状のものなどからなる場合には、上記のような整列状態にせずに、長手方向及び高さ方向にランダムに配置するようにするのもよい。
【００２７】
図５に示す実施形態の手掛け材１は、各手掛け用隆起部６の形状を円形状とした場合のもので、その直径ｄが５〜１０ｃｍの範囲に設定されている。その他は上記の実施形態と同様である。この場合も、上下左右、あらゆる方向から手を掛けてからだを軽く支えることができると共に、手掛け用隆起部を掴むことによって様々な姿勢においてからだを安定良く軽く支えることができる。
【００２８】
図６（イ）に示す実施形態の手掛け材１は、手掛け材１に線状の手掛け用隆起部６…をベース部５の長手方向に延ばして上下方向に複数段備えさせたものであり、各隆起部６の隆起高さ寸法ｈは同じく２〜１０ｃｍの範囲、幅寸法は５〜１０ｃｍの範囲である。その他は上記の実施形態と同様である。
【００２９】
また、図６（ロ）、図７（イ）及び図７（ロ）に示す各手掛け材１…は、手掛け用隆起部６が上下方向に一段備えられている場合のものであり、廊下２や階段３を使用する者の体格に差がないような場合、あるいは体格をあまり気にしないような場合などにおいては、このような形態が採用されてもよい。
【００３０】
図８及び図９に示す実施形態は、階段や廊下以外の場所で便利に使用することができる身体介助用壁付け手掛け材に関するもので、手掛け材１は、図８（イ）（ロ）に示すように、正方形状のベース部５の一方の面の中央部に上記の場合と同じ範囲の寸法関係を有する正方形状の手掛け用隆起部６が備えられている。また、ベース部５のもう一方の面には粘着剤層７が設けられて取付け面に形成されると共に、ベース部５において手掛け用隆起部６から外方に張り出す部分にビス打ち用の窪み８が設けられ、図８（ハ）に示すように、壁面４に粘着剤層７を粘着させて取り付けることができると共に、ビス９を用いてより強固に取り付けることができるようになされている。なお、ベース部を省略して手掛け用隆起部の部分だけで手掛け材を構成するのもよい。
【００３１】
この手掛け材１は、様々な場所に取り付けて便利に用いることができる。例えば、図９（イ）に示す例は、玄関１０の上がり口付近の壁面に取り付けた場合のものであり、手掛け用隆起部６に手を掛けることにより段差部分を安全に行き来することができる。また、図９（ロ）に示す例は、冷蔵庫１１付近の壁面に手掛け材１を取り付けた場合のもので、手掛け用隆起部６に軽く手を掛けて冷蔵庫１１の扉の開け閉めを行うことができる。図９（ハ）に示す例は、低所に備えられた収納ラック１２付近の壁面に手掛け材１を取り付けた場合のもので、手掛け用隆起部６に軽く手を掛けてしゃがみながらラック１２内の収納物１３を取り出すことができる。
【００３２】
上記の手掛け材１は、市場においてそれ単独で取引されるのもよいし、あるいは、図８（ニ）（ホ）に示すように、ベース部５に多数の手掛け用隆起部６…を形成し、各手掛け用隆起部６…を仕切るようにベース部５に切込み用の溝１５を設けたものなどとして取引されるのもよい。後者の場合には、ハサミ１６やカッターなどで切り取って使用することができ、また、複数個単位で切り取って使用することなども可能となる。
【００３３】
以上に、本発明の実施形態を示したが、本発明はこれに限られるものではなく、発明思想を逸脱しない範囲で各種の変更が可能である。例えば、上記の実施形態では、手掛け用隆起部６の形状についてのいくつかの例を示したが、これらに限られるものではなく、隆起高さ寸法を２〜１０ｃｍの範囲とする各種形状の手掛け用隆起部が採用されてよく、例えば上下方向に長い線状のものなどであってもよい。
【００３４】
また、図１及び図２に示す実施形態では、一つのベース部に複数の手掛け用隆起部が備えられた手掛け材を用い、これを壁に取り付けて手掛け構造を形成した場合を示しているが、図８に示すような一つのベース部に一つの手掛け用隆起部を備えた手掛け材、あるいは、ベース部がなく一つの手掛け用隆起部を備えた手掛け材を用いて、図１及び図２に示すような手掛け構造を形成するようにしてもよいし、あるいはまた、図７（イ）に示すような手掛け材を複数組み合わせて図１や図２に示す手掛け構造を形成するようにしてもよい。
【図面の簡単な説明】
【００３５】
【図１】身体介助用手掛け構造の一実施形態を示す一部断面斜視図である。
【図２】身体介助用手掛け構造の他の実施形態を示す一部断面斜視図である。
【図３】手掛け材の一実施形態を示すもので、図（イ）は正面図、図（ロ）は図（イ）のＩ−Ｉ断面図である。
【図４】手掛け用隆起部の一例を示すもので、図（イ）は斜視図、図（ロ）は側面図、図は正面図である。
【図５】手掛け材の他の実施形態を示すもので、図（イ）は正面図、図（ロ）はその手掛け用隆起部部分の拡大正面図、図（ハ）は側面図である。
【図６】図（イ）（ロ）はそれぞれ、手掛け材の他の実施形態を示す正面図である。
【図７】図（イ）（ロ）はそれぞれ、手掛け材の他の実施形態を示す正面図である。
【図８】手掛け材の他の実施形態を示すもので、図（イ）は正面図、図（ロ）は側面図、図（ハ）は取付け方法を示す断面側面図、図（ニ）は取引形態の一例を示す正面図、図（ホ）は図（ニ）のＩＩ−ＩＩ線断面図である。
【図９】図（イ）〜図（ハ）はそれぞれ、同手掛け材の使用例を示す正面図である。
【符号の説明】
【００３６】
１…手掛け材
２…廊下
３…階段
４…壁面
６…手掛け用隆起部
ａ，ｂ…一辺の寸法
ｄ…直径
ｈ…隆起高さ寸法
【図１】
2005068939.tif 000003
【図２】
2005068939.tif 000004
【図３】
2005068939.tif 000005
【図４】
2005068939.tif 000006
【図５】
2005068939.tif 000007
【図６】
2005068939.tif 000008
【図７】
2005068939.tif 000009
【図８】
2005068939.tif 000010
【図９】
2005068939.tif 000011